(57)【要約】【課題】  回転確認窓が結露するのを防止でき、回転盤の回転の確認が正確にできて安全性を図ることができる芝刈機を提供する。【解決手段】  芝刈機本体１の内部に風洞２を設け、芝刈機本体１の底部に円盤状の集草用のファン３を回転自在に装着すると共に集草用のファン３と一緒に回転して芝草を刈る刃４を集草用のファン３の下部に設け、集草用のファン３の回転にて刈った芝草を風洞２を介して集めるようにした芝刈機である。これにおいて、集草用のファン３とは逆方向に集草用のファン３と一緒に回転する回転盤５を設けると共に回転盤５の回転の有無を確認するため回転盤５を外部から見ることできる回転確認窓６を設ける。回転確認窓６に結露しないように送風する結露防止用のファン７を設ける。【選択図】        図１
2005110627.tif 000002
【特許請求の範囲】
【請求項１】
芝刈機本体の内部に風洞を設け、芝刈機本体の底部に円盤状の集草用のファンを回転自在に装着すると共に集草用のファンと一緒に回転して芝草を刈る刃を集草用のファンの下部に設け、集草用のファンの回転にて刈った芝草を風洞を介して集めるようにした芝刈機において、集草用のファンとは逆方向に集草用のファンと一緒に回転する回転盤を設けると共に回転盤の回転の有無を確認するため回転盤を外部から見ることできる回転確認窓を設け、回転確認窓に結露しないように送風する結露防止用のファンを設けたことを特徴とする芝刈機。
【請求項２】
回転盤に弾性体を設けて弾性体を回転確認窓に接触させたことを特徴とする請求項１記載の芝刈機。
【発明の詳細な説明】
【技術分野】
【０００１】
本発明は、集草機能を有する芝刈機に関し、詳しくは芝刈機が回転しているか確認することができる機能を有した芝刈機に関するものである。
【背景技術】
【０００２】
従来、この種の芝刈機は、芝刈機本体の内部に風洞を設け、芝刈機本体の底部に円盤状の集草用のファンを回転自在に装着すると共に集草用のファンと一緒に回転して芝草を刈る刃を集草用のファンの下部に設け、集草用のファンの回転にて刈った芝草を風洞を介して集めるようにしてある。またこのような芝刈機では芝刈作業を終了した時において芝を刈る刃や集草用のファンが慣性でしばらく回転しているが、このときの安全を図るためにモータの回転軸に回転盤を取り付け、回転盤を回転確認窓から見えるようにして刃やファンが回転しているか否かを確認できるようにしたものがある（例えば、特許文献１参照）。
【特許文献１】特開昭５５−８８６１１号公報
【発明の開示】
【発明が解決しようとする課題】
【０００３】
ところが、上記従来例では風洞を介して集草するものであるために芝刈時の湿気で回転確認窓が結露してしまうことがあり、回転盤の回転確認が困難であるという問題がある。
【０００４】
本発明は上記の従来の問題点に鑑みて発明したものであって、回転確認窓が結露するのを防止でき、回転盤の回転の確認が正確にできて安全性を図ることができる芝刈機を提供することを課題とするものである。
【課題を解決するための手段】
【０００５】
上記課題を解決するために本発明に係る芝刈機は、芝刈機本体１の内部に風洞２を設け、芝刈機本体１の底部に円盤状の集草用のファン３を回転自在に装着すると共に集草用のファン３と一緒に回転して芝草を刈る刃４を集草用のファン３の下部に設け、集草用のファン３の回転にて刈った芝草を風洞２を介して集めるようにした芝刈機において、集草用のファン３とは逆方向に集草用のファン３と一緒に回転する回転盤５を設けると共に回転盤５の回転の有無を確認するため回転盤５を外部から見ることできる回転確認窓６を設け、回転確認窓６に結露しないように送風する結露防止用のファン７を設けたことを特徴とする。
【０００６】
上記のように構成したことにより、回転確認窓６から回転盤５の回転の有無を確認することで刃４や集草用のファン３が回転しているか否か確認できて安全性を確保できるのは勿論、結露防止用のファン７の送風にて回転確認窓６に結露するのを防止でき、回転確認窓６から鮮明に見えて回転盤５の確認がしやすく、一層安全性を確保することができる。
【０００７】
また回転盤５に弾性体８を設けて弾性体８を回転確認窓６に接触させたことを特徴とすることも好ましい。この場合、回転確認窓６にたとえ結露しても回転盤５の回転により弾性体８にて結露を拭き取ることができ、一層回転盤５の回転の確認がしやすくなる。
【発明の効果】
【０００８】
本発明は、叙述の如く構成されているので、回転確認窓から回転盤の回転の有無を確認することで刃や集草用のファンが回転しているか否か確認できて安全性を確保できるという効果があるのは勿論、結露防止用のファンの送風にて回転確認窓に結露するのを防止でき、回転確認窓から鮮明に見えて回転盤の確認がしやすく、一層安全性を確保することができるという効果がある。
【発明を実施するための最良の形態】
【０００９】
以下、本発明を添付図面に示す実施形態に基いて説明する。本発明の芝刈機はロータリー式であり、図２に示すように芝刈機本体１、ハンドル９、グリップ１０、集草籠１１等で主体が構成されている。ハンドル９の先端側である一端は芝刈機本体１の両側面の後方の上部に継手１２で回転自在に装着されており、ハンドル９の先端側と反対の他端にはグリップ１０が設けられている。グリップ１０には駆動の操作をするスイッチ（図示せず）が設けられており、このスイッチに電源コード１４が繋がっている。また芝刈機本体１内には駆動源であるモータ１５を内装してあり、上記電源コード１４がモータ１５に繋がっている。
【００１０】
図１、図２に示すように芝刈機本体１の前方の両側面には車輪１６が回転自在に装着されており、芝刈機本体１の後方にはローラ１７が軸１８にて回転自在に装着されており、車輪１６やローラ１７を転動させることにより走行させることができるようになっている。芝刈機本体１のハウジング１９はモータ支持部２０や風洞２を形成すると共に芝刈機本体１の外郭を構成するものであり、ハウジング１９の上部に被さるようにハウジングカバー２１が装着されている。芝刈機本体１内の中央部分にモータ支持部２０が設けられており、このモータ支持部２０にモータ１５が支持されており、モータ支持部２０を囲むように風洞２が形成されている。モータ支持部２０にモータ１５を取り付けるとき、弾性体２２を介してねじ３６にて取り付けられている。
【００１１】
風洞２の一部を形成する芝刈機本体１の底面には底板２３が設けられており、底板２３の先端側（芝刈機本体１の先端側）には櫛状の形状部分が設けられており、櫛状の形状部分で芝草の取り込みの役目を持たせてある。この底板２３の上方には集草用のファン３が配置してあり、モータ１５のモータ軸２４の下端には集草用のファン３がナット２５にて取り付けられている。集草用のファン３には複数の羽根２６と突起２７とが一体に設けられている。集草用のファン３の下側には刃取り付け板２８がねじ２９にて固定されており、この刃取り付け板２８の外周より突出するように複数の刃４がねじ３０により刃取り付け板２８に取り付けられている。
【００１２】
モータ１５のモータ軸２４を駆動すると、集草用のファン３と一緒に刃４が回転駆動され、刃４にて芝草が刈られると共に刈り取った芝草が集草用のファン３による送風にて吸い込まれ、風洞２を介して集草籠１１に取り込むようになっている。このように集草用のファン３の送風により風洞２を介して集草されるのであるが、風洞２は風上から風下に向かって特に天井が高くなりながらその体積を広げるように形成している。
【００１３】
上記のようにモータ１５のモータ軸２４の下端に集草用のファン３が連結されるのであるが、集草用のファン３を取り付ける側と反対であるモータ軸２４の上端には図３に示すような回転盤５が取り付けられており、この回転盤５の外周には複数の羽根７ａを有する結露防止用のファン７が一体に設けられている。この回転盤５はモータ軸２４に直接取り付けているため集草用のファン３が回転している時は回転盤５が回転し、集草用のファン３が回転していない時は回転盤５が回転しない構造となっている。一方、ハウジングカバー２１には透明または半透明の回転確認窓６が回転盤５に対応する位置に設けられるが、本例の場合、回転確認窓６が回転確認窓６と一体に設けたフック３２て固定されており、芝刈機本体１の外側から取り外せない構造になっている。回転盤５の上部には色付きの模様が描かれたラベル３１が装着されており、回転確認窓６からラベル３１を見ることで回転盤５が回っているか止まっているかを確認することができる。つまり、集草用のファン３が回転しているを確認することができる。
【００１４】
集草用のファン３を駆動したとき、集草用のファン３の送風にて主に図１の矢印Ａの方向に風が流れて風洞２を介して集草籠１１に芝草が取り込まれるが、ファン３の送風により一部の空気が矢印Ｂ，Ｃのように流れる風が生じてモータ１５が冷却される。このとき、本発明では回転盤５に結露防止用のファン７が設けられているため、モータ１５が回転すると、結露防止用のファン７により、風が図１の矢印Ｄのように発生し、この風による送風にて回転確認窓６に結露するのを防止することができるようになっている。つまり、回転盤５と一緒に結露防止用のファン７が回転することにより風が図１の矢印Ｄのように発生し、湿度の高い空気を攪拌することで回転確認窓６との温度差をなくして結露を防止し、また芝刈機本体１内の湿度の高い空気が回転盤５と回転確認窓６との間の空間Ｓに入りにくくし、結露するのを防止するようになっている。
【００１５】
また図４に示すように回転盤５の上面部に弾性体８を装着し、弾性体８を回転確認窓６に接触させることも好ましい。かかる弾性体８は例えばスポンジである。このようにすると、回転盤５の回転により弾性体８が回転確認窓６に摺接し、回転確認窓６にたとえ結露しても拭き取ることができるようになっている。
【００１６】
また図５に示すように回転盤５と回転確認窓６との間にパッキン４０を回転盤５と回転確認窓６に接触させて設けることにより、湿気の高い空気が回転盤５と回転確認窓６との間に進入するのを防止して回転確認窓６の結露を防止することも好ましい。図５の例の場合、回転確認窓６の下部の筒部４１の内周に全周に亙るように環状のパッキン４０を装着してあり、環状のパッキン４０の内周を回転盤５の外周面に弾接させてある。
【００１７】
また図６に示すように回転確認窓６の形状を上方に凸曲する凸形状にすることも好ましい。このようにすることにより、外側より回転盤５の回転が確認しやすくなると共に凸曲する回転確認窓６内の風通しがよくなるために回転確認窓６の結露を防止できる。このとき回転盤５の上面側にも回転確認窓６の形状に沿った結露防止用のファン７を設けてあると、回転確認窓６内の風通しを一層向上して一層結露を防止できる。
【００１８】
また図７に示すように回転確認窓６を容易に着脱可能な構造にしておくことも好ましい。つまり、ハウジングカバー２１の開口の縁部４２の内周には雌ねじ４３を設けてあり、回転確認窓６の外周には雄ねじ４５を設けてあり、雌ねじ４３に雄ねじ４５を螺合することで回転確認窓６を容易に着脱可能にしてある。このように着脱可能にしてあると、回転確認窓６の内面側が結露などで汚れた場合、取り外して掃除することができるために何時も綺麗な状態で使用することができる。
【図面の簡単な説明】
【００１９】
【図１】本発明の実施の形態の一例の要部の一部切欠正面図である。
【図２】同上の全体の正面図である。
【図３】同上の回転盤を示し、（ａ）は平面図、（ｂ）は正面から見た断面図、（ｃ）は底面図である。
【図４】同上の他の例の要部を示し、（ａ）は平面図、（ｂ）は正面から見た断面図である。
【図５】同上の他の例の要部を示し、（ａ）は平面図、（ｂ）は正面から見た断面図である。
【図６】同上の他の例の要部を示し、（ａ）は平面図、（ｂ）は正面から見た断面図である。
【図７】同上の他の例の要部を示し、（ａ）は平面図、（ｂ）は正面から見た断面図である。
【符号の説明】
【００２０】
１  芝刈機本体
２  風洞
３  集草用のファン
４  刃
５  回転盤
６  回転確認窓
７  結露防止用のファン
８  弾性体
【図１】
2005110627.tif 000003
【図２】
2005110627.tif 000004
【図３】
2005110627.tif 000005
【図４】
2005110627.tif 000006
【図５】
2005110627.tif 000007
【図６】
2005110627.tif 000008
【図７】
2005110627.tif 000009